(57)【要約】【課題】ネクタイへの固定が容易でかつネクタイをワイシャツに簡単な操作で取り付けることが可能なネクタイの簡易留め具を提供する。【解決手段】使い勝手改善のために，一方が一体化または固定され，前記一体化または固定された部分から第一の部位と第二の部位に分かれ，前記第一の部位と第二の部位が互いに離れた開状態（略Ｖの字状態）と前記第一の部品と第二の部位が互いにほぼ近接または接触した閉状態（略円弧状態）になるようにバネの性質を利用した第一の部品と，前記第一の部品の第二の部位を柔軟な材質（布など）からなる第二の部品に取り付け，前記第二の部品をネクタイの裏面に固定し，前記第一の部品の第一の部位と第二の部位の間にワイシャツ端を挟み込むことでネクタイを固定する。【選択図】        図２
2004249043.tif 000002
【特許請求の範囲】
【請求項１】
一方が一体化または固定され，前記一体化または固定された部分から第一の部位と第二の部位に分かれ，前記第一の部位と第二の部位が互いに離れた開状態（略Ｖの字状態）と前記第一の部位と第二の部位が互いにほぼ近接または接触した閉状態（略円弧状態）になるようにバネの性質を利用した第一の部品を，前記第一の部品の第二の部位を柔軟な材質（布など）からなる第二の部品に取り付け，前記第二の部品をネクタイの裏面に固定し，前記第一の部品の第一の部位と第二の部位の間にワイシャツ端を挟み込むことでネクタイを固定することを特徴とするネクタイの簡易留め具。
【請求項２】
請求項１に記載の第二の部位は第二の部品との取り付けにおいて，容易に抜けにくい形状を有し，前記第二の部品の形状は通常ネクタイの裏面に付けられているタッグと同様に横長の形状又は縦長の形状を有し，特に縦長の形状の場合は，第一の部品を第二の部品の中央に取り付け，通常ネクタイの裏面に付けられているタッグを上下から挟み込むように取り付けることを特徴とする請求項１に記載のネクタイの簡易留め具。
【請求項３】
請求項１に記載した第一の部品の第二の部位をネクタイに予め取り付けられたタッグ等に取り付けたネクタイの簡易留め具。
【発明の詳細な説明】
【０００１】
【発明が属する技術分野】
本発明は，ネクタイをワイシャツに固定するためにネクタイピンを使用せずに，容易に固定する事ができるネクタイ留め具に関するものである。
【０００２】
【従来の技術】
上衣やベスト等を着用してない時は，ネクタイをネクタイピンでワイシャツにとめていないと，前にかがんだときなどに，ネクタイがテーブルの上の物に触れたりすることがある。また風でネクタイがまくれ上がったりすることも生じる。ネクタイピンを使用するとこれらの不具合は解消されるが，最近の傾向としてネクタイピンが敬遠される傾向にある。これらの状況に際して，ネクタイピンを使用しなくても，ネクタイを着用しているときに曲がったりブラブラするのを防止する要望は多く見受けられる。したがってこれらの要望に答えるべく，数々の発案がなされてきた。従来の実施例について調査してみると「特開２００１−１６１４０９，特開２０００−２２６７１０，特開２０００−１６０４１５，特開平１１−０３６１１７及び特開平０６−２９４００５」にはネクタイの固定にボタンホールを形成し，ワイシャツのボタンで固定する手段がとられている。これらはネクタイを着用した時ボタンホールがワイシャツのボタン位置に合えばネクタイを固定することができるが，ボタン位置がずれた場合は再度ネクタイを結び直すことなどをしない限り，ネクタイがたるんだりつっぱったりすることになる。一方，特開平０８−２２８８０６ではこれらの不具合点を解決すべく提案がなされているが使い勝手（ネクタイとワイシャツに固定手法等）に関して，２種類の独立した個別部品を使用するため部品の紛失などが予想される。
【０００３】
【発明が解決しようとする課題】
解決しようとする問題点は，ネクタイをワイシャツに固定する手法の改善である。前述のようにボタンホールを利用した固定方法は，ワイシャツのボタン位置に合えばネクタイを固定することができるが，ボタン位置がずれた場合は再度ネクタイを結び直すことなどをしない限り，ネクタイがたるんだりつっぱったりすることになる。また，これらの改善策として２種類の独立した個別部品を使用しネクタイとワイシャツの固定方法に関して，提案されているが，２種類の独立した個別部品を使用するため部品の紛失などネクタイとワイシャツの固定時の使い勝手に改善の余地がある。
【０００４】
【課題を解決するための手段】
本発明は，上記した使い勝手改善のために，一方が一体化または固定され，前記一体化または固定された部分から第一の部位と第二の部位に分かれ，前記第一の部位と第二の部位が互いに離れた開状態（略Ｖの字状態）と前記第一の部品と第二の部位が互いにほぼ近接または接触した閉状態（略円弧状態）になるようにバネの性質を利用した第一の部品と，前記第一の部品の第二の部位を柔軟な材質（布など）からなる第二の部品に取り付け，前記第二の部品をネクタイの裏面に固定し，前記第一の部品の第一の部位と第二の部位の間にワイシャツ端を挟み込むことでネクタイを固定することを特徴とする。
【０００５】
また，本発明の第二の部位は第二の部品との取り付けにおいて，容易に抜けにくい形状を有し，前記第二の部品の形状は通常ネクタイの裏面に付けられているタッグと同様に横長の形状又は縦長の形状を有し，特に縦長の形状の場合は，第一の部品を第二の部品の中央に取り付け，通常ネクタイの裏面に付けられているタッグを上下から挟み込むように取り付けることを特徴とする。
【０００６】
【発明の実施の形態】
第一の部位と第二の部位が互いに離れた開状態（略Ｖの字状態）と前記第一の部位と第二の部位が互いにほぼ近接または接触した閉状態（略円弧状態）になるようにバネの性質を利用した第一の部品と前記第二の部位を布などの第二の部品に取り付けネクタイの裏面に固定し，ワイシャツ端を第一の部品で挟み込むことでネクタイを固定することで使い勝手が良いネクタイの簡易留め具を実現した。
【０００７】
【実施例】
以下，本発明の実施例を図面を参照し説明する。図１は，本発明の第一の部品の一例を示した図である。（Ａ）は第一の部品の平面図を，（Ｂ）は第一の部品が開状態（略Ｖの字状態）のＡ−Ａ断面図を，（Ｃ）は第一の部品が閉状態（略円弧状態）のＡ−Ａ断面図をそれぞれ示している。１は第一の部品の第一の部位を，２は第一の部品の第二の部位を示している。また，第二の部位は図示したようにテーパ形状を有し第二の部品に取り付けた時に外れにくい構造を有している。なお，テーパ形状の代わりに多少の凹凸等を有しても良い。
【０００８】
図２は図１に示した第一の部品を第二の部品に取り付けた第一の例を示した図である。（Ａ）は第一の部品を第二の部品に取り付けた一例の平面図を，（Ｂ）は図２（Ａ）に示した第一の部品が開状態（略Ｖの字状態）のＡ−Ａ断面図を，（Ｃ）は図２（Ａ）に示した第一の部品が閉状態（略円弧状態）のＡ−Ａ断面図をそれぞれ示している。図中１は第一の部品の第一の部位を，２は第一の部品の第二の部位を，３は第二の部品を示している。第二の部品は横長に構成し，第一の部位１の左右の部分で，丁度ネクタイのタッグと同様にネクタイに縫い付けることが出来る。あるいは，予め熱圧接手段（図示せず）を付けておくとアイロンなどで簡単にネクタイに接着可能である。
【０００９】
図３は図１に示した第一の部品を第二の部品に取り付けた第二の例を示した図である。（Ａ）は第一の部品を第二の部品に取り付けた一例の平面図を，（Ｂ）は図３（Ａ）に示した第一の部品が開状態（略Ｖの字状態）のＡ−Ａ断面図を，（Ｃ）は図３（Ａ）に示した第一の部品が閉状態（略円弧状態）のＡ−Ａ断面図をそれぞれ示している。図中１は第一の部品の第一の部位を，２は第一の部品の第二の部位を，４，４Ａ及び４Ｂは第二の部品を示している。第二の部品は縦長に構成し，第一の部位１の上下の部分に少なくとも一方（４Ａ，４Ｂ）に接着手段（図示せず）を有している。（Ａ’）は図３（Ａ）の右側面図を示し，４Ａ，４Ｂで示す部分に接着手段を設けることで，既存のネクタイのタッグに本発明のネクタイの簡易留め具を抱かせるように上下から取り付けることが出来，本発明のネクタイの簡易留め具を持っていれば，必要に応じてネクタイに特別な道具を用いることなく簡単に取り付けることが出来る。
【００１０】
図４は図２及び図３に示したネクタイの簡易留め具（第一の部品と第二の部品一体化）をネクタイに取り付けた例を示した図である。図中５はネクタイを，６はネクタイのタッグを示している。（Ａ）はネクタイの簡易留め具の第二の部品を横長に構成した例を示し，第二の部品３の左右の部分で丁度ネクタイのタッグと同様にネクタイに縫い付けまたは接着した状態を示す。横長に構成したネクタイの簡易留め具は，ネクタイの簡易留め具をネクタイの裏面の任意の位置に取り付けることができるために，使用者が好きな位置に取り付けることが出来る。
（Ｂ）はネクタイの簡易留め具の第二の部品４を縦長に構成し，第一の部位１の上下の部分に少なくとも一方に接着手段（図示せず）を有している。このようにすると，既存のネクタイのタッグに本発明のネクタイの簡易留め具を抱かせるように上下から取り付けることが出来る。
【００１１】
上記したネクタイの簡易留め具の一般的な使用方法は，▲１▼ネクタイにネクタイの簡易留め具を取り付ける，▲２▼ネクタイの簡易留め具の第一の部品１は図１（Ｃ），図２（Ｃ）及び図３（Ｃ）等に示すように閉状態（略円弧状態）を確認する，▲３▼ネクタイを着用する，▲４▼ネクタイの細い部分を本発明のネクタイの簡易留め具とネクタイの幅広部分の間に入れる，▲５▼ネクタイの簡易留め具の第一の部品１を図１（Ｂ），図２（Ｂ）及び図３（Ｂ）等に示すように開状態（略Ｖの字状態）にしてワイシャツの端を挟む，▲６▼ネクタイの簡易留め具の第一の部品１を図１（Ｃ），図２（Ｃ）及び図３（Ｃ）等に示すように閉状態（略円弧状態）にする。以上で完了。
【００１２】
図５は本発明の第一の部品をネクタイのタッグに取り付けた一例を示した図である。このように第一の部品を通常ネクタイに取り付けられているタッグに取り付けても，図４に示したネクタイの簡易留め具と同様な効果を有す。また，図３に示したネクタイの簡易留め具はネクタイの任意に位置に取り付け可能であるため，それぞれ使用者によって使い分けが可能である。
【００１３】
【発明の効果】
以上説明したように本発明のネクタイの簡易留め具は，第一の部品１及び２の閉状態（略円弧状態）と開状態（略Ｖの字状態）の切り換えにバネ性を利用しているため，指の操作で簡単にネクタイへの固定が出来，かつ取り外しも容易である。また，ネクタイに強い力が掛かった場合はワイシャツから外れるために無理に引っ張られる事も無く安全性に優れている。更に本簡易留め具は小さくかつ軽いためにネクタイを着用時に邪魔にならない等の利点がある。またネクタイ留め具がネクタイと一体化しており紛失することも無く使用したいときにいつでも使用できる。
【図面の簡単な説明】
【図１】本発明のネクタイの簡易留め具に使用する第一の部品の一例を示した図である。
【図２】本発明のネクタイの簡易留め具の第一の例を示した図である。
【図３】本発明のネクタイの簡易留め具の第二の例を示した図である。
【図４】本発明をネクタイの簡易留め具をネクタイに取り付けた一例を示した図である。
【図５】本発明の第一の部品をネクタイのタッグに取り付けた一例を示した図である。
【符号の説明】
１    ネクタイの簡易留め具の第一の部位
２    ネクタイの簡易留め具の第二の部位
３    ネクタイの簡易留め具第二の部品（横長）
４    ネクタイの簡易留め具第二の部品（縦長）
５    ネクタイ
６    ネクタイのタッグ
７    第一の部品
【図１】
2004249043.tif 000003
【図２】
2004249043.tif 000004
【図３】
2004249043.tif 000005
【図４】
2004249043.tif 000006
【図５】
2004249043.tif 000007